(57)【要約】【課題】  ユーザの利便性を考慮した上で、コンテンツデータを記録することができる記録装置を提供する。【解決手段】  複数のチューナ部１０１と、操作入力を受ける入力手段１１６と、前記複数のチューナ部１０１から受信した各コンテンツデータを同時に記録媒体に書き込む書込み手段１１８と、を備えた記録装置であって、前記書込み手段１１８は、前記入力手段１１６によって録画対象となるコンテンツデータの放送時間帯が指定された場合、当該指定された時間帯の各コンテンツデータを前記所定のビットレートより高い記録ビットレートで同時に記録媒体に書き込むことを特徴とする。【選択図】      図２
2010148011.tif 000002
【特許請求の範囲】
【請求項１】
複数のチューナ部と、
操作入力を受ける入力手段と、
前記複数のチューナ部から受信した各コンテンツデータを同時に記録媒体に書き込む書
込み手段と、を備えた記録装置であって、
前記書込み手段は、前記入力手段によって録画対象となるコンテンツデータの放送時間
帯が指定された場合、当該指定された時間帯の各コンテンツデータを前記所定のビットレ
ートより高い記録ビットレートで同時に記録媒体に書き込むことを特徴とする記録装置。
【請求項２】
前記書込み手段は、前記入力手段によって録画対象となるコンテンツデータの放送時間
帯が指定された場合、当該指定された時間帯の各コンテンツデータを指定されていない時
間帯の各コンテンツデータの記録ビットレートより高い記録ビットレートで同時に記録媒
体に書き込むことを特徴とする請求項１に記載の記録装置。
【請求項３】
前記書込み手段は、前記入力手段によって録画対象となるコンテンツデータが指定され
た場合、当該コンテンツデータを所定の記録ビットレートより高い記録ビットレートで記
録媒体に書き込むことを特徴とする請求項２に記載の記録装置。
【請求項４】
前記書込み手段は、前記入力手段によって録画対象となるコンテンツデータの種別が指
定された場合、当該指定された種別の各コンテンツデータを所定の記録ビットレートより
高い記録ビットレートで同時に記録媒体に書き込むことを特徴とする請求項３に記載の記
録装置。
【請求項５】
前記書込み手段は、前記入力手段によって録画対象となるコンテンツデータの放送時間
帯が指定された場合、当該指定された時間帯の各コンテンツデータを指定されていない時
間帯の各コンテンツデータの記録ビットレートより低い記録ビットレートで同時に記録媒
体に書き込むことを特徴とする請求項１に記載の記録装置。
【請求項６】
前記書込み手段は、前記入力手段によって録画対象となるコンテンツデータが指定され
た場合、当該コンテンツデータを所定の記録ビットレートより低い記録ビットレートで記
録媒体に書き込むことを特徴とする請求項５に記載の記録装置。
【請求項７】
前記書込み手段は、前記入力手段によって録画対象となるコンテンツデータが指定され
た場合、当該コンテンツデータを所定の記録ビットレートより低い記録ビットレートで記
録媒体に書き込むことを特徴とする請求項６に記載の記録装置。
【請求項８】
前記書込み手段は、同一のコンテンツデータに対し、ＰＶＲによる録画と複数チャンネ
ル同時録画とを並行に実行する場合、ＰＶＲによる録画するコンテンツデータを高い記録
ビットレートで記録媒体に書き込むことを特徴とする請求項１に記載の記録装置。
【請求項９】
書込み時期が古い順に、前記記憶媒体から書き込まれたコンテンツデータを削除する削
除手段を更に具備することを特徴とする請求項４に記載の録画装置。
【請求項１０】
前記記録媒体の容量を検知する検知手段を更に具備し、
前記削除手段は、前記検知手段で検知する前記記録媒体の容量が所定値以下となった場
合、前記記憶媒体から書き込まれたコンテンツデータを削除することを特徴とする請求項
９記載の記録装置。
【発明の詳細な説明】
【技術分野】
【０００１】
本発明は、記録装置に関する。
【背景技術】
【０００２】
近年、ＨＤＤ（Ｈａｒｄ  Ｄｉｓｋ  Ｄｒｉｖｅ）などの大容量の記憶装置を備え、複
数のチューナ部を用いて複数チャンネルの番組のコンテンツデータを同時録画する機能や
、番組のコンテンツデータの録画中に当該録画中の番組のコンテンツデータや録画済みの
番組のコンテンツデータを再生表示する機能を備えた録画装置が普及している。
【０００３】
また、デジタル方式の放送波を録画してＨＤＤ等にコンテンツデータを格納する記録装
置の中には、新たなコンテンツデータをメディアに格納する際、記録容量の確保のために
メディアに既に格納したコンテンツデータを一定条件の下で削除する機能を有する装置が
ある。
【０００４】
例えば特許文献１には、画像データを自動削除する際に用いる管理情報としてユーザ識
別、録画日時、最終アクセス日時、アクセス回数、ジャンル、自動削除日時の少なくとも
１つに基づいて消去可能な画像データを設定し、削除する記録再生装置が開示されている
。
【特許文献１】特開２００７−４３２４０号公報
【発明の開示】
【発明が解決しようとする課題】
【０００５】
しかしながら、特許文献１に示す記録装置では、コンテンツデータを保存することにつ
いて考慮していない。よって、消去可能と判断されたコンテンツデータの内容は視聴不可
能となる。一方、全てのコンテンツデータの保存したままでは、記憶媒体の容量が不足す
る。
【０００６】
そこで、ユーザの利便性を考慮した上で、コンテンツデータを記録することができる記
録装置を提供することを目的とする。
【課題を解決するための手段】
【０００７】
本発明は、複数のチューナ部と、操作入力を受ける入力手段と、前記複数のチューナ部
から受信した各コンテンツデータを同時に記録媒体に書き込む書込み手段と、を備えた記
録装置であって、前記書込み手段は、前記入力手段によって録画対象となるコンテンツデ
ータの放送時間帯が指定された場合、当該指定された時間帯の各コンテンツデータを前記
所定のビットレートより高い記録ビットレートで同時に記録媒体に書き込むことを特徴と
する。
【発明の効果】
【０００８】
本発明によれば、ユーザの利便性を考慮した上で、コンテンツデータを記録することが
できる。
【発明を実施するための最良の形態】
【０００９】
以下に添付図面を参照して、この発明にかかる記録装置の実施形態を詳細に説明する。
まず、図１を参照して、本発明の一実施形態に係る記録装置の構成を説明する。本実施
形態の記録装置は、例えば、複数の放送局１〜３等からの地上波デジタル放送を受信する
と共に、受信したコンテンツデータを内蔵した記録媒体に格納することができるＨＤＤ（
Ｈａｒｄ  Ｄｉｓｋ  Ｄｒｉｖｅ）レコーダやＨＤＤ＋ＤＶＤ（Ｄｉｇｉｔａｌ  Ｖｅｒ
ｓａｔｉｌｅ  Ｄｉｓｃ）レコーダなどから実現されている。また、本発明にかかる記録
装置１００は、複数チャンネルの番組のコンテンツデータを同時録画する機能を有する。
【００１０】
なお、本実施の形態では、ＨＤＤレコーダやＨＤＤ＋ＤＶＤレコーダなどの多チャンネ
ル受信装置に適用した例について説明するが、これに限定するものではない。例えば、複
数チャンネルの番組のコンテンツデータを同時録画することができる装置であれば、内蔵
した記録媒体やネットワークを介して接続した記録媒体にコンテンツデータを書き込む機
能を有するとともに、液晶ディスプレイやプラズマディスプレイ等を備えたテレビジョン
受信装置であっても良い。
【００１１】
（第１実施の形態）
図２は、本実施例にかかる多チャンネル受信装置の構成を示すブロック図である。本実
施の形態にかかる多チャンネル受信装置１００は、チューナ装置１０１、録画装置１１１
、ＥＰＧ（Ｅｌｅｃｔｒｉｃ  Ｐｒｏｇｒａｍ  Ｇｕｉｄｅ）処理部１１２、ＥＰＧメモ
リ１１３、ＭＰＥＧ（Ｍｏｖｉｎｇ  Ｐｉｃｔｕｒｅ  Ｅｘｐｅｒｔｓ  Ｇｒｏｕｐ）デ
コーダ１１４、オンスクリーン表示部１１５、リモコン受信部１１６、システムコントロ
ーラ１１７、および録画再生制御部１１８を備えて構成される。
【００１２】
チューナ装置１０１は、複数のチューナ部１０２〜１１０を用いて、ＨＤＤなどの録画
装置１１１に同時録画する番組のコンテンツデータが多重された複数チャンネルのトラン
スポートストリームを受信するものである。本実施の形態では、チューナ装置１０１は、
Ｃｈ１〜ＣｈＮまでのＮ個のチャンネルを受信するチューナ部１０２〜１１０を備えてい
る。そして、チューナ部１〜Ｎ（１０２〜１１０）から出力されたＣｈ１〜ＣｈＮのトラ
ンスポートストリームは、ＥＰＧ処理部１１２および録画再生制御部１１８に送られる。
【００１３】
ここで、図３を参照しながら、本実施の形態にかかるチューナ部１〜Ｎ（１０２〜１１
０）の詳細な構成について説明する。図３は、本実施の形態にかかるチューナ部の詳細な
構成を示すブロック図である。以下の説明では、チューナ部１（１０２）の構成について
説明するが、他のチューナ部２〜Ｎ（１０３〜１１０）についても同様である。
【００１４】
チューナ部１（１０２）は、選局部２０１、復調部２０１１、分離部２０２、デスクラ
ンブラ２０３、分離部２０４、カードＩＤメモリ２０５、およびＩＣカード２０６を備え
て構成される。
【００１５】
アンテナ入力は、まず、選局部２０１でチャンネルが選局され、復調部２０１１で選局
されたチャンネルのＯＦＤＭやＰＳK等で変調された信号を復調することからトランスポ
ートストリームが抽出される。当該トランスポートストリームは、分離部２０２およびデ
スクランブラ２０３に入力される。分離部２０２は、トランスポートストリームに多重さ
れている制御データＥＣＭを分離し、分離した制御データＥＣＭをＩＣカード２０６に入
力する。分離部２０４は、トランスポートストリームに多重されている制御データＥＭＭ
を分離し、分離した制御データＥＭＭをＩＣカード２０６に入力する。
【００１６】
ＩＣカード２０６は、入力された制御データＥＣＭおよび制御データＥＭＭを用いてス
クランブル鍵を復号する。そして、デスクランブラ２０３は、ＩＣカード２０６で復号さ
れたスクランブル鍵を用いて、トランスポートストリームに多重されているコンテンツデ
ータをデスクランブルして出力する。なお、本実施の形態では、ＩＣカード２０６がそれ
ぞれのチューナ部に備えられているが、複数のチューナ部が１つのＩＣカードを兼用する
こともできる。
【００１７】
図２に戻り、ＥＰＧ処理部１１２は、チューナ部１０２〜１１０から出力されたＣｈ１
〜ＣｈＮのトランスポートストリームから、同時にコンテンツデータを録画可能な複数チ
ャンネルの各時間帯の番組を示す番組情報（ＳＩ情報）であるＥＰＧ情報を抽出し、ＥＰ
Ｇメモリ１１３に格納する。
【００１８】
なお、本実施の形態では、日本の地上デジタル放送のようにＣｈ１〜ＣｈＮの各トラン
スポートストリームから各チャンネルのＥＰＧ情報を抽出する例について説明するが、こ
れに限定するものではない。例えば、ＢＳ（ＢＲＯＡＤＣＡＳＴＩＮＧ  Ｓａｔｅｌｌｉ
ｔｅ）デジタル放送のように各チャンネルにＢＳ全チャンネルのＥＰＧ情報が多重されて
いる場合もある。いずれにしても、ＥＰＧ処理部１１２は、自装置で受信可能なチャンネ
ル数分のＥＰＧ情報を抽出し、ＥＰＧメモリ１１３に格納するものとする。
【００１９】
また、ＥＰＧ処理部１１２は、リモコン２００が備える番組表ボタンなどの押下に応じ
て、ＥＰＧメモリ１１３に格納されているＥＰＧ情報を取得し、取得したＥＰＧ情報をチ
ャンネル毎に時系列に並べた番組表の番組表データをオンスクリーン表示部１１５に供給
してＴＶに番組表を表示する。なお、ＥＰＧ処理部１１２は、ＥＰＧメモリ１１３に格納
されているＥＰＧ情報を常に新しい内容に更新するために、Ｃｈ１〜ＣｈＮのトランスポ
ートストリームからＥＰＧ情報を抽出し、抽出したＥＰＧ情報によりＥＰＧメモリ１１３
に格納されているＥＰＧ情報を更新するものとする。
【００２０】
ここで、図４を用いて、ＥＰＧ処理部１１２による番組表表示処理の手順について説明
する。図３は、番組表表示処理の手順を示すフローチャートである。
ＥＰＧ処理部１１２は、リモコン２００が備える番組表ボタンが押下された場合または
番組表を表示中にリモコン２００からの操作入力により他の時間帯の番組表の表示が要求
された場合、番組表に含めるＥＰＧ情報の時間帯（以下、表示対象時間帯とする）を取得
する（ステップＳ３０１）。例えば、ＥＰＧ処理部１１２は、番組表ボタンが押下された
場合、現在時刻の所定時間前から、現在時刻の所定時間後までを表示対象時間帯として取
得する。一方、ＥＰＧ処理部１１２は、番組表を表示中に他の時間帯の表示が要求された
場合、リモコン２００から操作入力された時刻の所定時間前から、当該時刻の所定時間後
までを表示対象時間帯として取得する。
【００２１】
次に、ＥＰＧ処理部１１２は、取得した表示対象時間帯に現在時刻よりも前の時刻であ
る過去の時刻が含まれているか否かを判断する（ステップＳ３０２）。そして、ＥＰＧ処
理部１１２は、取得した表示対象時間帯に過去の時刻が含まれていると判断した場合（ス
テップＳ３０２：Ｙｅｓ）、ＥＰＧメモリ１１３から、過去の各時間帯における番組のＥ
ＰＧ情報を取得する（ステップＳ３０３）。
【００２２】
さらに、ＥＰＧ処理部１１２は、取得した表示対象時間帯に過去の時刻が含まれていな
いと判断した場合（ステップＳ３０２：Ｎｏ）またはステップＳ３０３においてＥＰＧ情
報を取得すると、取得した表示対象時間帯に現在時刻より後の時刻である未来の時刻が含
まれているか否かを判断する（ステップＳ３０４）。そして、ＥＰＧ処理部１１２は、取
得した表示対象時間帯に未来の時刻が含まれていると判断した場合（ステップＳ３０４：
Ｙｅｓ）、ＥＰＧメモリ１１３から、現在時刻以降における各時間帯の番組のＥＰＧ情報
を取得する（ステップＳ３０５）。
【００２３】
そして、ＥＰＧ処理部１１２は、取得したＥＰＧ情報のうち、表示対象時間帯に含まれ
る時間帯の番組のＥＰＧ情報を、チャンネル毎に時系列に並べた番組表をＴＶに表示する
（ステップＳ３０６）。
【００２４】
図５は、ＴＶに表示した番組表の一例を示す図である。ＥＰＧ処理部１１２は、番組表
ボタンが押下された場合、図５に示すように、現在時刻を基準とした過去の時刻および未
来の時刻を表示対象時間帯に含まれる各時間帯（ＴＭ）の番組のＥＰＧ情報４０１を、チ
ャンネル（ＣＨ）毎に時系列に並べた番組表４００をＴＶに表示する。
【００２５】
図１に戻り、録画再生制御部１１８は、Ｃｈ１〜ＣｈＮのトランスポートストリームに
多重されているコンテンツデータに関する所定の処理を実行するものである。本実施の形
態では、録画再生制御部１１８は、システムコントローラ１１７からの制御信号に応じて
、チューナ部１０２〜１１０から受信したトランスポートストリームに多重されているコ
ンテンツデータまたは録画装置１１１に録画されているコンテンツデータを選択して、Ｍ
ＰＥＧデコーダ１１４に出力する再生処理を実行する。
【００２６】
また、録画再生制御部１１８は、トランスポートストリームからコンテンツデータを抽
出し、抽出したコンテンツデータに、当該コンテンツデータを識別するための情報であっ
て、コンテンツデータを録画した番組のチャンネルを示すチャンネル情報、コンテンツデ
ータを録画した番組の番組名、コンテンツデータを録画した録画日時、コンテンツデータ
の再生履歴などを含む識別情報を付加して録画装置１１１への記録処理を実行（録画）す
るものとする。また、録画再生制御部１１８は、システムコントローラ１１７からの制御
信号に応じて、コンテンツデータをトランスコーダ１２０ａ〜ｎに出力する。
【００２７】
ＭＰＥＧデコーダ１１４は、録画再生制御部１１８から出力されたコンテンツデータに
ＭＰＥＧ２デコード処理を施したコンテンツデータをオンスクリーン表示部１１５に入力
する。
【００２８】
トランスコーダ１２０ａ〜ｎは、システムコントローラ１１７からの制御信号に応じて
、ＭＰＥＧデコーダ１１４から受けたコンテンツデータをトランスコードする。このとき
、トランスコーダ１２０ａ〜ｎはシステムコントローラ１１７からの指示に応じてコンテ
ンツデータを所定のビットレートに変換する。
【００２９】
オンスクリーン表示部１１５は、ＥＰＧ処理部１１２から供給された番組表データおよ
びＭＰＥＧデコーダ１１４により入力されたコンテンツデータをテレビジョン信号（ＴＶ
信号）として、ＴＶに供給するものである。
【００３０】
システムコントローラ１１７は、多チャンネル受信装置１００全体の処理を制御するも
のである。具体的には、システムコントローラ１１７は、録画再生制御部１１８への制御
信号の出力処理、コンテンツデータに関する所定の処理に係る処理情報の表示処理などを
行う。
【００３１】
上述した通り、本実施例における多チャンネル受信装置１００は複数チャンネルを同時
録画する機能を有する。当該機能を実行したとき、多チャンネル受信装置１００では、チ
ューナ部１０２〜１１０から受信したトランスポートストリームから其々のコンテンツデ
ータを抽出し、識別情報を付加して録画装置１１１への記録処理を実行する。この場合、
大容量のコンテンツデータを絶えず録画装置１１１へ書き込むため、録画装置１１１の使
用容量は時間経過に伴い、一定のペースで満たされていく。
【００３２】
ここで、複数チャンネル同時録画処理においては、ユーザが録画後に視聴する可能性の
低いコンテンツデータから視聴する可能性の高いコンテンツデータまで全てが一律のビッ
トレートで記録されるが、仮に、ユーザが予め視聴可能性が低いとみなしたコンテンツデ
ータの記録ビットレートを下げて録画することができれば、好適に録画装置１１１の容量
を調整することができる。
【００３３】
以下、図２、図５、および図６を用いて、本実施例における好適に録画装置１１１の容
量を調整することができる録画処理の流れについて説明する。図６は、本実施例の録画処
理の流れを示すフローチャートである。
【００３４】
本実施例では、図５に示すように、ＥＰＧ処理部１１２によりＴＶに番組表が表示され
ると、ユーザはリモコン２００等からの入力操作により、高画質で保存したいと考える所
望の放送時間帯を指定する。図５では、１２時から２時の時間帯が指定された例を示して
いる。尚、ここでは、ＥＰＧを用いて録画処理の操作を行う構成について説明するが、こ
れに限らず、例えばメニュー画面からの操作等により録画処理を行ってもよい。
【００３５】
まず、システムコントローラ１１７は、複数チャンネル同時録画処理が設定されている
か否か確認する（ステップＳ５０１）。複数チャンネル同時録画処理が設定されていない
場合（ステップＳ５０１のＮｏ）、システムコントローラ１１７は、Ｓ５０１の処理を繰
り返す。
【００３６】
一方、複数チャンネル同時録画処理が設定されている場合（ステップＳ５０１のＹｅｓ
）、システムコントローラ１１７はユーザからの放送時間帯指定があったか否か確認する
（ステップＳ５０２）。放送時間帯指定がない場合（ステップＳ５０２のＮｏ）、システ
ムコントローラ１１７は、処理をＳ５０６に進める。一方、放送時間帯指定がされている
場合（ステップＳ５０２のＹｅｓ）、システムコントローラ１１７は処理をＳ５０３に進
める。
【００３７】
Ｓ５０３において、システムコントローラ１１７は、現在の時刻が指定を受けた時間帯
に属するか否か確認する（ステップＳ５０３）。現在の時刻が指定を受けた時間帯に属す
る場合（ステップＳ５０３のＹｅｓ）、システムコントローラ１１７は、トランスコーダ
１２０ａ〜ｎにコマンドを出力し、記録ビットレートを所定値以上に設定させる（ステッ
プＳ５０４）。現在の時刻が指定を受けた時間帯ではない場合（ステップＳ５０３のＮｏ
）、システムコントローラ１１７は、トランスコーダ１２０ａ〜ｎにコマンドを出力し、
記録ビットレートを所定値以下に設定させる（ステップＳ５０５）。ここでは、記録ビッ
トレートの基準を所定値としたが、これに限らず、例えば、指定した時間帯のコンテンツ
データを他の時間帯のコンテンツデータと比較して、ビットレートを高くして記録できる
構成であれば良い。
【００３８】
Ｓ５０６において、システムコントローラ１１７は、録画再生制御部１１８にコマンド
を出力し、コンテンツデータに識別情報を付加して録画装置１１１への記録処理を実行さ
せる（ステップＳ５０６）。ここでシステムコントローラ１１７は、定期的に録画処理が
終了したか否か確認する（ステップＳ５０７）。録画処理が終了していない場合（ステッ
プＳ５０７のＮｏ）、システムコントローラ１１７は、Ｓ５０２の処理を戻す。録画処理
が終了した場合（ステップＳ５０１のＹｅｓ）、システムコントローラ１１７は複数チャ
ンネル同時録画処理を終了する。
【００３９】
（第２実施の形態）
本実施の形態にかかる多チャンネル受信装置１００は、録画装置に記録されているコン
テンツデータの削除処理に係る処理情報を表示する例である。なお、第１実施の形態と同
様の構成については説明を省略し、第１実施の形態と異なる構成のみを説明する。
【００４０】
図７は、本実施の形態にかかる多チャンネル受信装置の構成を示すブロック図である。
本実施の形態にかかる多チャンネル受信装置７００は、第１実施の形態とは異なる録画再
生制御部７０１およびシステムコントローラ７０３を備える点、およびＰＶＲ（Ｐｅｒｓ
ｏｎａｌ  Ｖｉｄｅｏ  Ｒｅｃｏｒｄｅｒ）７０２が追加された点が、第１実施の形態に
かかる多チャンネル受信装置１００と異なる。
【００４１】
録画再生制御部７０１は、録画装置１１１の容量が足りなくなり、新たにコンテンツデ
ータを記録することができなくなった場合、識別情報に含まれる録画日時が古いコンテン
ツデータから順に録画装置１１１から削除する削除処理を実行する。
【００４２】
また、録画再生制御部７０１は、システムコントローラ７０３（後述する）が受け付け
た削除処理を実行しない番組を示す制御信号に応じて、当該制御信号が示す番組のコンテ
ンツデータを、当該削除処理を実行しない録画装置であるＰＶＲ７０２に保存する保存処
理（以下、アーカイブ保存）を実行する。なお、録画再生制御部７０１は、アーカイブ保
存を実行する際、当該コンテンツデータに上述した識別情報を付加してＰＶＲ７０２に保
存するものとする。
【００４３】
システムコントローラ７０３は、コンテンツデータに関する所定の処理を実行するもの
であって、リモコン２００からの操作入力に応じてアーカイブ保存する番組（つまり、削
除処理を実行しない番組）の選択を受け付ける受付処理を実行する。そして、システムコ
ントローラ７０３は、受け付けた番組を示す制御信号を録画再生制御部７０１に出力する
。
【００４４】
具体的には、システムコントローラ７０３は、リモコン２００からの操作入力に応じて
、番組表に含まれるＥＰＧ情報のうち、現在時刻よりも過去の時刻に録画された時間帯の
ＥＰＧ情報の選択を受け付けた場合、当該ＥＰＧ情報が示す番組を、アーカイブ保存を実
行する番組（または再生処理を実行する番組）の選択として受け付けるものとする。一方
、システムコントローラ７０３は、現在時刻よりも未来の時刻に録画された時間帯のＥＰ
Ｇ情報の選択を受け付けた場合、当該ＥＰＧ情報が示す番組を、アーカイブ保存を実行す
る番組として受け付けるものとする。
【００４５】
ここで、本実施例では、放送波の時間だけではなく、ＰＶＲ７０２により録画されるコ
ンテンツデータや、ジャンル・放送番組を指定されたコンテンツデータなどを高画質で記
録するとともに、録画装置１１１の容量を調整することができる。
【００４６】
以下、図８を用いて、第２の実施例における録画装置１１１の容量を調整することがで
きる録画処理の流れについて説明する。図８は、第２の実施例における録画処理の流れを
示すフローチャートである。
【００４７】
まず、システムコントローラ７０３は、複数チャンネル同時録画処理が設定されている
か否か確認する（ステップＳ８０１）。複数チャンネル同時録画処理が設定されていない
場合（ステップＳ８０１のＮｏ）、システムコントローラ７０３は、Ｓ８０１の処理を繰
り返す。
【００４８】
一方、複数チャンネル同時録画処理が設定されている場合（ステップＳ８０１のＹｅｓ
）、システムコントローラ７０３は、現在ユーザからコンテンツデータのジャンル又は番
組指定された録画対象又はＰＶＲによる録画対象があるか否か確認する（ステップＳ８０
２）。ユーザからコンテンツデータのジャンル又は番組指定された録画対象又はＰＶＲに
よる録画対象がない場合（ステップＳ８０２のＮｏ）、システムコントローラ７０３は、
処理をＳ８０６に進める。ユーザからコンテンツデータのジャンル又は番組指定された録
画対象又はＰＶＲによる録画対象がある場合（ステップＳ８０２のＹｅｓ）、システムコ
ントローラ７０３は処理をＳ８０３に進める。
【００４９】
Ｓ８０３において、システムコントローラ７０３は、現在録画中のコンテンツデータの
ジャンル又は番組が指定を受けたものに属するか否か確認する（ステップＳ８０３）。現
在録画中のコンテンツデータのジャンル又は番組が指定を受けたものに属する場合（ステ
ップＳ８０３のＹｅｓ）、システムコントローラ７０３は、トランスコーダ１２０ａ〜ｎ
にコマンドを出力し、記録ビットレートを所定値以上に設定させる（ステップＳ８０４）
。現在録画中のコンテンツデータのジャンル又は番組が指定を受けたものに属さない場合
（ステップＳ８０３のＮｏ）、システムコントローラ７０３は、トランスコーダ１２０ａ
〜ｎにコマンドを出力し、記録ビットレートを所定値以下に設定させる（ステップＳ８０
５）。
【００５０】
Ｓ８０６において、システムコントローラ７０３は、録画再生制御部１１８にコマンド
を出力し、コンテンツデータに識別情報を付加して録画装置１１１への記録処理を実行さ
せる（ステップＳ８０６）。ここでシステムコントローラ７０３は、定期的に録画処理が
終了したか否か確認する（ステップＳ８０７）。録画処理が終了していない場合（ステッ
プＳ８０７のＮｏ）、システムコントローラ７０３は、Ｓ８０２の処理を戻す。録画処理
が終了した場合（ステップＳ８０１のＹｅｓ）、システムコントローラ７０３は複数チャ
ンネル同時録画処理を終了する。
【００５１】
尚、本実施例ではユーザにより指定を受けたコンテンツデータ或いはコンテンツデータ
の放送時間帯の記録ビットレートを所定値以上で記録する場合を示したが、これに限らず
、指定を受けたコンテンツデータ或いはコンテンツデータの放送時間帯の記録ビットレー
トを所定値以下で記録する構成にしても良い。
【００５２】
以上、説明した通り本実施の形態によれば、ユーザの利便性を考慮した上で、コンテン
ツデータを記録することができる。
本発明は、上記実施形態そのままに限定されるものではなく、実施段階ではその要旨を
逸脱しない範囲で構成要素を変形して具体化できる。また、上記実施形態に開示されてい
る複数の構成要素の適宜な組み合わせにより種々の発明を形成できる。例えば、実施形態
に示される全構成要素から幾つかの構成要素を削除してもよい。更に、異なる実施形態に
構成要素を適宜組み合わせてもよい。
【図面の簡単な説明】
【００５３】
【図１】本発明の一実施形態に係る記録装置の構成を示したブロック図である。
【図２】本発明にかかる録画装置を適用した多チャンネル受信装置の構成を示すブロック図である。
【図３】本実施の形態にかかるチューナ部の詳細な構成を示すブロック図である。
【図４】番組表表示処理の手順を示すフローチャートである。
【図５】ＴＶに表示した番組表の一例を示す図である。
【図６】録画処理の手順を示すフローチャートである。
【図７】第２実施の形態にかかる多チャンネル受信装置の構成を示すブロック図である。
【図８】録画処理の手順を示すフローチャートである。
【符号の説明】
【００５４】
１０２〜１１０・・・チューナ部
１１１・・・録画装置
１１２・・・ＥＰＧ処理部
１１７，７０３・・・システムコントローラ
１１７ａ，７０３ａ・・・処理情報表示部
１１８・・・録画再生制御部
７０２・・・ＰＶＲ
【図１】
2010148011.tif 000003
【図２】
2010148011.tif 000004
【図３】
2010148011.tif 000005
【図４】
2010148011.tif 000006
【図５】
2010148011.tif 000007
【図６】
2010148011.tif 000008
【図７】
2010148011.tif 000009
【図８】
2010148011.tif 000010